(57)【要約】【課題】屋内空間における結露の発生を好適に抑制する。【解決手段】建物１０の外壁には掃出し口としての窓部１３が設けられており、窓部１３にはサッシ枠３１が取り付けられている。サッシ枠３１は、窓部１３の下端を形成する下枠部３７を有しており、下枠部３７と床部５６の床仕上材５８との間には床見切り材６０が設けられている。床見切り材６０は、下枠部３７の下枠延出部４６及び床仕上材５８の上に載置されている見切り板部６１と、見切り板部６１から下方に延びている挿入部６２，６３とを有しており、挿入部６２，６３は下枠部３７と床仕上材５８との間に挿し入れられた状態となっている。挿入部６２，６３の間には電熱線７１〜７３が設けられている。電熱線７１〜７３は電流が流れることで発熱し、その熱により床見切り材６０を加熱する。【選択図】図１
2012144925.tif 000002
【特許請求の範囲】
【請求項１】
建物の外壁部において床部から上方に延びるように設けられた開口部と、
前記開口部に取り付けられたサッシ枠と、
前記サッシ枠のうち前記開口部の下端となる下枠部と前記床部の床板端部との間において、前記下枠部に沿って設けられた床見切り材と、
前記床見切り材に設けられた加熱手段と、
を備えていることを特徴とする建物の床加熱システム。
【請求項２】
前記加熱手段として、前記サッシ枠の前記下枠部に対応する位置に設けられた第１加熱手段と、前記サッシ枠の縦枠部に対応する位置に設けられた第２加熱手段とを備え、
前記第１加熱手段による床加熱と前記第２加熱手段による床加熱とのうちいずれを実施するかを切り替える切替手段が設けられていることを特徴とする請求項１に記載の建物の床加熱システム。
【請求項３】
前記床見切り材には、該床見切り材の長手方向に延びる仕切部により仕切られた複数の長手空間が設けられており、該複数の長手空間に、前記加熱手段を構成する電熱線と該電熱線とは異なる電気配線とのいずれかが各々収容されて設けられていることを特徴とする請求項１又は２に記載の建物の床加熱システム。
【請求項４】
前記サッシ枠に設けられ、該サッシ枠の温度を検出するサッシ枠温度検出手段と、
前記サッシ枠温度検出手段の検出結果に基づいて、前記加熱手段による床加熱の実施態様を制御する制御手段と、
を備えていることを特徴とする請求項１乃至３のいずれか１項に記載の建物の床加熱システム。
【請求項５】
前記開口部の屋内側の温度を検出する屋内温度検出手段が前記屋内側に設けられており、
前記制御手段は、前記サッシ枠温度検出手段及び前記屋内温度検出手段の各検出結果に基づいて前記サッシ枠と前記屋内側との温度差を算出し、該温度差が判定値より大きい場合に前記加熱手段による床加熱を実行させることを特徴とする請求項４に記載の建物の床加熱システム。
【請求項６】
前記サッシ枠に結露水が付着していることを検出する結露水検出手段が前記サッシ枠に設けられており、
前記制御手段は、前記結露水検出手段により結露水が検出されていない場合に前記実施態様を第１段階に設定し、前記結露水が検出された場合に前記実施態様を、前記加熱手段による床加熱に際しての加熱量が前記第１段階よりも大きい第２段階に設定することを特徴とする請求項４又は５に記載の建物の床加熱システム。
【請求項７】
前記加熱手段は、前記床見切り材に対して複数設けられており、
前記制御手段は、前記サッシ枠温度検出手段の検出結果に基づいて、複数の前記加熱手段の各実施態様を個別に制御することを特徴とする請求項４乃至６のいずれか１項に記載の建物の床加熱システム。
【発明の詳細な説明】
【技術分野】
【０００１】
本発明は、建物の床加熱システムに関するものである。
【背景技術】
【０００２】
住宅等の建物において例えば冬期に屋内外での温度差が生じた場合、窓ガラスやサッシ戸の屋内側で結露が発生することがある。そこで、例えば特許文献１には、結露対策として、サッシ枠の下枠部を形成するアングル部に突出縁を設け、発生した結露水がアングル部から床部に流れ出すことを突出縁により防止するという構成が記載されている。この構成によれば、結露水が床面上に流れ込むことを抑制できる。
【先行技術文献】
【特許文献】
【０００３】
【特許文献１】特開２００７−２７７９８０号公報
【発明の概要】
【発明が解決しようとする課題】
【０００４】
しかしながら、上記特許文献１に記載された構成では、結露水の発生量によっては、その結露水が突出縁を越えて床部に流れ出すことが懸念される。これは、結露の発生自体を抑制することができないためであり、この場合は、サッシ枠や窓ガラスに付着した結露水によりカーテンなどが濡れるといったことも懸念される。したがって、屋内空間における結露対策に関して改善の余地がある。
【０００５】
本発明は、屋内空間における結露の発生を好適に抑制することを主たる目的とする。
【課題を解決するための手段】
【０００６】
上記課題を解決するために、第１の発明の建物の床加熱システムは、建物の外壁部において床部から上方に延びるように設けられた開口部と、前記開口部に取り付けられたサッシ枠と、前記サッシ枠のうち前記開口部の下端となる下枠部と前記床部の床板端部との間において、前記下枠部に沿って設けられた床見切り材と、前記床見切り材に設けられた加熱手段と、を備えていることを特徴とする。
【０００７】
第１の発明によれば、床見切り材を使って加熱手段を設けることで、サッシ枠の下枠部と床板端部との間のスペースを用いて加熱手段を容易に設置できる。この場合、加熱手段は、開口部と床部との見切り部（境界部）に設けられており、サッシ枠の下枠部を加熱するのに好適なものとなる。したがって、開口部における結露の発生を好適に抑制できる。
【０００８】
なお、床見切り材は、金属材料など熱伝導率の高い材料により形成されていることが好ましい。これにより、加熱手段による床見切り材や床部の加熱効率を高めることができる。また、加熱手段は電熱線により形成されていることが好ましい。
【０００９】
第２の発明では、前記加熱手段として、前記サッシ枠の前記下枠部に対応する位置に設けられた第１加熱手段と、前記サッシ枠の縦枠部に対応する位置に設けられた第２加熱手段とを備え、前記第１加熱手段による床加熱と前記第２加熱手段による床加熱とのうちいずれを実施するかを切り替える切替手段が設けられている。
【００１０】
サッシ枠において下枠部と縦枠部とは、温度等の環境条件に基づく結露発生の状況が相違すると考えられる。この点、第２の発明のように、下枠部と縦枠部とに各々加熱手段を設け、それら加熱手段による床加熱状態を適宜切り替えることにより、都度の状況に応じて好適なる加熱作動を行わせることができる。例えば、屋内外の温度差が所定値より小さい場合には縦枠部に対応した第２加熱手段により床加熱を行い、所定値以上である場合には下枠部に対応した第１加熱手段により床加熱を行う。上記構成によれば、加熱箇所を必要に応じて切り替えることにより、加熱に要する消費エネルギを低減させることができる。
【００１１】
なお、サッシ枠に窓ガラスが取り付けられている場合、サッシ枠と窓ガラスとでは素材の違いなどにより結露の発生状況が異なると考えられる。ここで、窓ガラスは下枠部の上方に存在するため、第１加熱手段と第２加熱手段による床加熱状態を切り替えることは、窓ガラスと縦枠部との加熱状態を切り替えることに相当する。したがって、サッシ枠と窓ガラスとで結露の発生状況が異なる時でも、サッシ枠及び窓ガラスの両者を対象として結露発生を好適に抑制することができる。
【００１２】
第３の発明では、前記床見切り材には、該床見切り材の長手方向に延びる仕切部により仕切られた複数の長手空間が設けられており、該複数の長手空間に、前記加熱手段を構成する電熱線と該電熱線とは異なる電気配線とのいずれかが各々収容されて設けられている。
【００１３】
第３の発明によれば、床見切り材において、電熱線の配設スペースと電気配線の配設スペースとを床見切り材とを個別に配置できる。
【００１４】
第４の発明では、前記サッシ枠に設けられ、該サッシ枠の温度を検出するサッシ枠温度検出手段と、前記サッシ枠温度検出手段の検出結果に基づいて、前記加熱手段による床加熱の実施態様を制御する制御手段と、を備えている。
【００１５】
開口部においてはサッシ枠の温度に応じて結露の発生しやすさが変化する。したがって、第４の発明のように、サッシ枠の温度に基づいて加熱手段による床加熱の実施態様が制御されることにより、サッシ枠の温度が結露の発生しやすい温度になっている場合に限って結露の発生を抑止できる。したがって、結露の発生抑制に際して省エネルギ効果を得ることができる。
【００１６】
第５の発明では、前記開口部の屋内側の温度を検出する屋内温度検出手段が前記屋内側に設けられており、前記制御手段は、前記サッシ枠温度検出手段及び前記屋内温度検出手段の各検出結果に基づいて前記サッシ枠と前記屋内側との温度差を算出し、該温度差が判定値より大きい場合に前記加熱手段による床加熱を実行させる。
【００１７】
開口部において結露は、屋内空間の温かい空気がサッシ枠によって冷やされることで発生する。したがって、第７の発明のように、サッシ枠と屋内空間との温度差に基づいて加熱手段による床加熱の実施態様が制御されることにより、屋内空間及びサッシ枠が結露の発生しやすい状態になっている場合に限って結露の発生を抑制できる。したがって、結露抑制に際しての省エネルギ効果を高めることができる。
【００１８】
第６の発明では、前記サッシ枠に結露水が付着していることを検出する結露水検出手段が前記サッシ枠に設けられており、前記制御手段は、前記結露水検出手段により結露水が検出されていない場合に前記実施態様を第１段階に設定し、前記結露水が検出された場合に前記実施態様を、前記加熱手段による床加熱に際しての加熱量が前記第１段階よりも大きい第２段階に設定する。
【００１９】
第６の発明によれば、結露が発生していない場合には結露発生を抑制できる制御を行い、結露が発生した場合には結露を除去できる制御を行うことが可能となる。この場合、結露抑制に加えて結露除去を促進することになり、結露水により床材などが劣化することを抑制できる。
【００２０】
第７の発明では、前記加熱手段は、前記床見切り材に対して複数設けられており、前記制御手段は、前記サッシ枠温度検出手段の検出結果に基づいて、複数の前記加熱手段の各実施態様を個別に制御する。
【００２１】
第７の発明によれば、サッシ枠における結露発生の状況が各部分で相違していても、都度の状況に合わせて複数の加熱手段による床加熱を個別に制御できる。この場合、複数の加熱手段による加熱箇所をきめ細かく切り替えるように制御することにより、結露の抑制に際しての省エネルギ効果をより一層高めることができる。
【００２２】
なお、本構成を上記第２の発明に適用し、前記制御手段は、前記サッシ枠温度検出手段の検出結果に基づいて、前記第１加熱手段による床加熱と前記加熱手段による床加熱とのいずれを実施するかを制御することが好ましい。
【図面の簡単な説明】
【００２３】
【図１】本実施形態における床加熱システムの構成を示す概略図。
【図２】床見切り材周辺の構成を示す断面図。
【図３】電熱線の構成を説明するための説明図。
【図４】床見切り材の取り付け手順を説明するための説明図。
【図５】床加熱制御処理の処理手順を示すフローチャート。
【発明を実施するための形態】
【００２４】
以下、本発明を具体化した一実施形態について図面を参照しつつ説明する。本実施形態では、本発明を、建物の床部を加熱する床加熱システムについて具体化している。図１は床加熱システムの構成を示す概略図、図２は床見切り材６０周辺の構成を示す断面図、図３は電熱線７１〜７３の構成を説明するための説明図である。
【００２５】
図１に示すように、住宅等の建物１０において、屋内空間としての居室１１と屋外とを仕切る外壁部としての外壁１２には開口部としての窓部１３が設けられている。窓部１３は掃出し口とされており、床面から上方に延びるように形成されている。
【００２６】
窓部１３には窓枠としてのサッシ枠３１が設けられており、サッシ枠３１には水平方向にスライド移動する一対のサッシ戸３２が取り付けられている。サッシ枠３１は、上下方向に延びる一対の縦枠部３５と、それら縦枠部３５の上端に連結された上枠部３６と、下端に連結された下枠部３７とを有しており（図３参照）、アルミニウム等の金属材料により略矩形状に形成されている。縦枠部３５は窓部１３の側端を形成し、上枠部３６は窓部１３の上端を形成し、下枠部３７は窓部１３の下端を形成している。
【００２７】
下枠部３７は、窓部１３の下端において水平方向に延びる長尺材とされている。下枠部３７は、床下地材５７及び床仕上材５８の屋外側の各端部に沿って水平方向に延びる下枠本体４１と、下枠本体４１から上方に突出したレール部４２と、レール部４２の屋内側に配置された下枠アングル４３とを有している。下枠アングル４３は、下枠本体４１から上方に向けて起立した下枠起立部４５と、下枠起立部４５の上端から屋内側に向けて延出した下枠延出部４６とを有している。
【００２８】
一対のサッシ戸３２は引き違い式の窓サッシとされており、それらサッシ戸３２は互いに重なる方向にスライド移動することで窓部１３を開放し、逆方向にスライド移動することで窓部１３を閉鎖する。サッシ戸３２は、矩形板状の窓ガラス５１と、その窓ガラス５１を支持するガラス支持枠５２とを有している。ガラス支持枠５２は、アルミニウム等の金属材料により矩形状に形成されており、窓ガラス５１はガラス支持枠５２の枠内に嵌め込まれた状態となっている。なお、下枠部３７のレール部４２には係止片５３が設けられ、ガラス支持枠５２には係止片５３と係止する被係止部５４が設けられており、係止片５３が被係止部５４に係止していることでレール部４２からのサッシ戸３２の離脱が防止されている。
【００２９】
サッシ枠３１の下枠部３７の屋内側には床面を形成する床部５６が設けられており、床部５６は、床根太により下方から支持されている板状の床下地材５７と、その床下地材５７の上に設けられた床仕上材５８とを含んで構成されている。床下地材５７は合板等により形成されている。床仕上材５８はフローリング等により形成されており、床仕上材５８の上面が床部５６において床仕上げ面としての床面を形成している。床下地材５７及び床仕上材５８はサッシ枠３１の側方に配置されている。
【００３０】
床仕上材５８の厚み寸法は床下地材５７とサッシ枠３１の下枠延出部４６との離間距離より大きくされており、床仕上材５８の上面は下枠延出部４６の上面と同じ高さ又はそれより高い位置に設けられている。この場合、床仕上材５８の見切り部分（窓部１３側の端部）を下枠延出部４６（下枠アングル４３）により覆い隠すことができない。そこで、床仕上材５８と下枠延出部４６との境界部に、床仕上材５８の見切り部分を覆い隠す床見切り材６０が設けられている。この場合、床見切り材６０は床仕上材５８と下枠アングル４３との境界部に設けられていることになる。
【００３１】
図１、図２に示すように、床見切り材６０は、アルミニウム等の金属材料により形成された水平方向に延びる長尺材とされており、床仕上材５８及び下枠延出部４６の上に載置されている板状の見切り板部６１と、見切り板部６１から下方に向けて延びている板状の挿入部６２，６３とを有している。見切り板部６１は、床仕上材５８及び下枠延出部４６の各上面に架け渡された状態となっており、床仕上材５８の見切り部分に加えて下枠延出部４６の見切り部分を覆い隠している。
【００３２】
床仕上材５８は下枠延出部４６から屋内側に離間しており、その離間部分の下方には、床仕上材５８よりもサッシ枠３１側へ突出した床下地材５７がある。ここで、挿入部６２，６３は、床仕上材５８と下枠延出部４６との離間部分に上方から挿入された状態で床下地材５７の上に載置されている。この場合、挿入部６２，６３は見切り板部６１を下方から支持することになるため、見切り板部６１に人が踏むことなどによる外力が加えられた際に見切り板部６１の破損を抑制できる。挿入部６２，６３において、床仕上材５８側に配置された床側挿入部６２と、サッシ枠３１側に配置されたサッシ側挿入部６３とは互いに離間して設けられている。
【００３３】
本実施形態では、床見切り材６０に加熱手段としての電熱線７１〜７３が取り付けられており、電熱線７１〜７３により床見切り材６０が加熱されることで居室１１において窓部１３周辺での結露発生を抑制できる。つまり、サッシ枠３１や窓ガラス５１、ガラス支持枠５２に結露水が付着することを抑制できる。
【００３４】
電熱線７１〜７３は、電気伝導体により形成されており、床見切り材６０に沿って延びるように設けられている。電熱線７１〜７３は、電流が流れることで発熱する発熱部としての電熱部７５を有している。
【００３５】
電熱線７１〜７３は、見切り板部６１の下方であって床側挿入部６２とサッシ側挿入部６３との間に配置されている。この場合、挿入部６２，６３の間は電熱線７１〜７３の配設スペースとされており、その配設スペースにおいて電熱線７１〜７３は、電熱部７５をサッシ側挿入部６３に当接させた状態でそのサッシ側挿入部６３に対して取り付け固定されている。なお、電熱線７１〜７３は、電熱部７５を見切り板部６１、床側挿入部６２及びサッシ側挿入部６３のうち少なくとも１つに当接させた状態で取り付け固定されていればよい。電熱線７１〜７３は、蓄電池等の電力供給装置７８と電気的に接続されており（図１参照）、電力供給装置７８から電熱線７１〜７３に電力が供給される。
【００３６】
図３に示すように、電熱部７５の配置は電熱線７１〜７３ごとに異なっている。電熱線７１〜７３のうち第１電熱線７１においては、電熱部７５の長さ寸法がサッシ枠３１の下枠部３７の長さ寸法と同じ又はそれよりも大きくされており、電熱部７５が下枠部３７の下方全体において床見切り材６０を加熱可能となっている。第２電熱線７２においては、電熱部７５がサッシ枠３１の各縦枠部３５の下方に配置されており、その部分にて床見切り材６０を加熱可能となっている。第３電熱線７３においては、電熱部７５が縦枠部３５の中間部分の下方に配置されており、その部分にて床見切り材６０を加熱可能となっている。つまり、下枠部３７の長手方向において第３電熱線７３の電熱部７５は第２電熱線７２の電熱部７５の間に配置されていることになる。
【００３７】
なお、電熱線７１〜７３及び電力供給装置７８により加熱手段が構成されており、第１電熱線７１の電熱部７５が第１加熱部に相当し、第２電熱線７２の電熱部７５が第２加熱部に相当する。
【００３８】
また、図３においては、居室１１側から見た窓部１３の正面図を図示しており、さらに、サッシ枠３１及びサッシ戸３２に対する電熱線７１〜７３の各電熱部７５の相対位置を示すために電熱線７１〜７３及び床見切り材６０を仮想的に図示している。
【００３９】
図１、図２の説明に戻り、床見切り材６０は、サッシ側挿入部６３のサッシ枠３１側のスペースを上下に仕切る上側仕切部８２及び下側仕切部８３を有している。仕切部８２，８３はサッシ側挿入部６３からサッシ枠３１側に向けてそれぞれ突出しており、上側仕切部８２はサッシ枠３１の下枠延出部４６側に配置され、下側仕切部８３は床下地材５７側に配置されている。上側仕切部８２と下側仕切部８３との間には、電熱線７１〜７３とは別の電気配線８４が配設されている。電気配線８４は電熱線７１〜７３に電力を供給するための電線とされている。なお、図１においては電気配線８４及び連結部８６の図示を省略している。
【００４０】
床見切り材６０は、床側挿入部６２の下端寄りの部分とサッシ側挿入部６３の下端寄りの部分とを連結する板状の連結部８６を有している。連結部８６は床側挿入部６２とサッシ側挿入部６３との間に配置されており、電熱線７１〜７３の配設スペースを床下地材５７に対して仕切った状態となっている。
【００４１】
床見切り材６０の見切り板部６１とサッシ枠３１の下枠延出部４６との間には防水部材８７が設けられている。防水部材８７はゴム等の弾性材料により形成されており、見切り板部６１の下面及び下枠延出部４６の上面に密着することでそれら見切り板部６１と下枠延出部４６との間から見切り板部６１の下方に水が浸入することを抑制する。ここで、防水部材８７は床見切り材６０に取り付けられており、見切り板部６１と下枠延出部４６とが離間している場合にそれら見切り板部６１と下枠延出部４６との隙間を埋める隙間埋め材としての役割を果たす。
【００４２】
本実施形態において床見切り材６０は、建物１０の改装に伴って床面の高さが変更された際に取り付けられている。ここでは、床見切り材６０の取り付け手順について図２、図４を参照しつつ説明する。図４は床見切り材６０の取り付け手順を説明するための説明図である。なお、図４においては防水部材８７の図示を省略している。
【００４３】
図４（ａ）に示すように、床部５６において床下地材５７の上には、床仕上材５８よりも厚さ寸法が小さい床仕上材５８ａが載置されている。床仕上材５８ａの厚さ寸法は床下地材５７と下枠延出部４６との離間距離より僅かに小さくされており、床仕上材５８ａがそれら床下地材５７と下枠延出部４６との間に入り込んでいる。これにより、床仕上材５８ａの見切り部分は下枠延出部４６（サッシ枠３１）により覆い隠されている。
【００４４】
そして、図４（ｂ）に示すように、リフォームに伴って床仕上材５８ａを取り外し、図４（ｃ）に示すように、その床仕上材５８に代えて床仕上材５８を床下地材５７の上に載置する。その後、図４（ｄ）に示すように、床見切り材６０の床側挿入部６２とサッシ側挿入部６３との間に電熱線７１〜７３を配設するとともに、上側仕切部８２と下側仕切部８３との間に電気配線８４を配設する。また、床見切り材６０の挿入部６２，６３の長さ寸法が床仕上材５８の厚さ寸法より大きい場合には、挿入部６２，６３の下端側を切断し、挿入部６２，６３の長さ寸法を床仕上材５８の長さ寸法と同じに調整する。このため、様々な厚み寸法を有する床仕上材５８に対応させて床見切り材６０を取り付けることができる。その後、図２に示すように、床見切り材６０を床仕上材５８とサッシ枠３１との境界に対して取り付ける。
【００４５】
なお、床仕上材５８ａを取り外して、床見切り材６０をサッシ枠３１の下枠部３７及び床下地材５７に対いて設置し、その後、床仕上材５８の端部を床見切り材６０の見切り板部６１と床下地材５７との間に挿し入れつつ、床仕上材５８を床下地材５７の上に載置するという手順で床見切り材６０の取り付け作業を行ってもよい。
【００４６】
本実施形態では、電熱線７１〜７３の加熱制御が床加熱システムにて実行される。ここでは、床加熱システムの電気的な構成について説明する。
【００４７】
図１に示すように、床加熱システムにおいて、制御手段としてのコントローラ９１は、ＣＰＵや各種メモリ等からなるマイクロコンピュータを含んで構成されており、例えば居室１１の内壁面に取り付けられている。
【００４８】
コントローラ９１には、居室１１内の温度を検出する屋内温度検出手段としての居室温度センサ９２と、屋外の温度を検出する外気温度センサ９３と、サッシ枠３１の温度を検出するサッシ枠温度検出手段としてのサッシ枠温度センサ９４と、サッシ枠３１に水が付着しているか否かを検出する結露水検出手段としてのサッシ水センサ９５とが接続されており、これらセンサ９２〜９５は検出信号をコントローラ９１に対して出力する。居室温度センサ９２は居室１１の内壁面に取り付けられており、外気温度センサ９３は下枠本体４１においてレール部４２の屋外側に取り付けられている。サッシ枠温度センサ９４は、下枠部３７の下枠起立部４５の屋内面に取り付けられており、サッシ水センサ９５は、下枠本体４１においてレール部４２の居室１１側に取り付けられている。この場合、サッシ枠温度センサ９４は、下枠延出部４６及び床見切り材６０の下方にあるため、居室１１から人に視認されることがない。
【００４９】
なお、サッシ枠３１の縦枠部３５など居室１１側に露出する部分が合成樹脂材料により形成されている場合、居室温度センサ９２はその部分に取り付けられていてもよい。これは、居室１１側に露出する部分の熱伝導率が低く、その部分の温度変化が外気温度に依存しにくくなっているためである。
【００５０】
コントローラ９１には、電力供給装置７８と、人による入力操作が行われる操作装置９６とが接続されている。電力供給装置７８は例えば床下空間に設置されており、コントローラ９１は指令信号を出力することにより電力供給装置７８の動作制御を行う。電力供給装置７８は電力供給を電熱線７１〜７３ごとに個別に行うことが可能となっている。操作装置９６は居室１１の内壁面に取り付けられており、入力操作に対応した操作信号をコントローラ９１に対して出力する。
【００５１】
コントローラ９１は、電熱線７１〜７３により床部５６を加熱させる床加熱制御を行う。ここでは、床加熱制御処理の処理手順について図５のフローチャートを参照しつつ説明する。なお、床加熱制御処理は所定周期で繰り返し実行される。
【００５２】
図５において、ステップＳ１１では、サッシ枠３１にて結露が発生しているか否かを判定する。ここでは、サッシ水センサ９５の検出信号に基づいてサッシ枠３１の下枠部３７に水が付着しているか否かを判定し、水が付着している場合に結露発生として判定する。結露が発生していない場合、ステップＳ１２にて、居室温度センサ９２の検出信号に基づいて居室１１の温度を取得し、ステップＳ１３にて、サッシ枠温度センサ９４の検出信号に基づいてサッシ枠３１の温度を取得する。
【００５３】
ステップＳ１４では、居室１１と屋外との温度差を算出し、その温度差が第１判定値（例えば１０℃）より大きいか否かを判定する。温度差が第１判定値より大きい場合、ステップＳ１５に進み、外気温度センサ９３の検出信号に基づいて外気温度を取得する。ステップＳ１６では、居室１１とサッシ枠３１との温度差を算出し、その温度差が第２判定値（例えば１０℃）より大きいか否かを判定する。なお、第１判定値と第２判定値とは同じ数値に設定されていてもよく、異なる数値に設定されていてもよい。
【００５４】
居室１１と屋外との温度差が第１判定値より大きいが、居室１１とサッシ枠３１との温度差が第２判定値以下である場合、ステップＳ１７に進み、電熱線７１〜７３のうち第２電熱線７２だけに電力供給装置７８から電力を供給させる。この場合、第２電熱線７２の電熱部７５により床見切り材６０における縦枠部３５の下方部分が加熱され、縦枠部３５に沿って上昇する上昇気流などにより縦枠部３５が温められる。これにより、縦枠部３５の結露が重点的に抑制され、窓ガラス５１を含めて窓部１３全体の結露を抑制する場合に比べて省エネルギ化を図ることができる。
【００５５】
居室１１と屋外との温度差が第１判定値より大きく、さらに、居室１１とサッシ枠３１との温度差が第２判定値より大きい場合、ステップＳ１８に進み、電熱線７１〜７３のうち第２電熱線７２及び第３電熱線７３に電力供給装置７８から電力を供給させる。この場合、第２電熱線７２及び第３電熱線７３の各電熱部７５によりサッシ枠３１全体の下方の床見切り材６０が加熱され、サッシ枠３１及び窓ガラス５１のそれぞれの全体が上昇気流などにより温められる。これにより、窓部１３全体においてサッシ枠３１及び窓ガラス５１の結露発生が抑制される。なお、この場合、居室１１とサッシ枠３１との温度差が第２判定値以下である場合（ステップＳ１７に進んだ場合）に比べて結露が発生しやすい状況であるため、窓部１３全体の結露発生を抑制することが好ましい。
【００５６】
サッシ枠３１にて結露が発生している場合（ステップＳ１１がＮＯ判定の場合）、ステップＳ１９に進み、電熱線７１〜７３の全てに電力供給装置７８から電力を供給させる。この場合、第２電熱線７２及び第３電熱線７３の各電熱部７５により床見切り材６０が加熱された場合に比べて、第１電熱線７１の電熱部７５の分だけ床見切り材６０の温度が高くされる。これにより、サッシ枠３１に付着した結露水を蒸発させやすくできる。つまり、結露水を除去しやすくなる。
【００５７】
なお、床加熱制御処理においては、ステップＳ１２〜Ｓ１８の処理が第１段階制御に相当し、ステップＳ１９の処理が第２段階制御に相当する。
【００５８】
また、コントローラ９１は、操作装置９６から操作信号を受信した場合、その操作信号に基づいて電力供給装置７８の動作制御を行う。この場合、例えば、電熱線７１〜７３の各電熱部７５をそれぞれ加熱させる旨の操作信号であれば、電力供給装置７８から電熱線７１〜７３のそれぞれに電力供給を行わせ、それぞれの加熱停止の旨の操作信号であれば、電力供給を停止させる。また、夏期においては電力供給装置７８からの電力供給を停止させる。
【００５９】
以上詳述した本実施形態によれば、以下の優れた効果が得られる。
【００６０】
床見切り材６０を使って電熱線７１〜７３を設けることで、サッシ枠３１の下枠部３７と床仕上材５８の屋外側端部との間のスペースを用いて電熱線７１〜７３を容易に設置できる。この場合、電熱線７１〜７３は、窓部１３と床部５６との見切り部（境界部）に設けられており、サッシ枠３１の下枠部３７を加熱するのに好適なものとなる。したがって、窓部１３における結露の発生を好適に抑制できる。
【００６１】
電熱線７１〜７３はそれぞれ電熱部７５を有しており、電熱部７５の配置は電熱線７１〜７３ごとに異なっているため、電力供給装置７８からの給電対象とされる電熱線７１〜７３を選択することにより、結露抑制の対象を窓部１３の全体と一部とに切り替えることができる。したがって、サッシ枠３１とサッシ戸３２の窓ガラス５１とサッシ戸３２のガラス支持枠５２とで、素材の違いや日射量の違いなどにより結露発生の状況が異なっていても、都度の状況に合わせて好適なる加熱作動を電熱線７１〜７３に行わせることにより、結露発生を好適に抑制できる。
【００６２】
例えば、第２電熱線７２の電熱部７５を加熱させることにより、窓部１３のうちサッシ枠３１の縦枠部３５を窓ガラス５１に比べて重点的に温め、結露発生を抑制することができる。なお、この場合、サッシ戸３２のガラス支持枠５２のうち縦枠部３５に当接した部分を重点的に温め、結露発生を抑制することにもなる。
【００６３】
したがって、床見切り材６０の加熱箇所を必要に応じて切り替えることにより、電熱線７１〜７３への供給電力など加熱に要する消費エネルギを低減させることができる。
【００６４】
電熱線７１〜７３による床見切り材６０の加熱がコントローラ９１により電気的に制御されるため、加熱及び非加熱の制御が容易となる。つまり、結露発生の条件が整っている時に限って床見切り材６０を加熱することが容易となる。したがって、結露抑制に際して省エネルギ化を図ることができる。
【００６５】
床見切り材６０において電熱線７１〜７３は見切り板部６１、挿入部６２，６３、連結部８６により上下左右が囲まれているため、電熱線７１〜７３が破損することを回避できる。しかも、床見切り材６０の取り付けに際して挿入部６２，６３とともに電熱線７１〜７３を床仕上材５８とサッシ枠３１との間に挿し入れる構成において、挿入部６２，６３の間に電熱線７１〜７３が配置されているため、挿入部６２，６３の挿し入れに伴って電熱線７１〜７３が床仕上材５８やサッシ枠３１に接触して傷つくということを回避できる。つまり、床見切り材６０が取り付けられた状態ではもちろんのこと床見切り材６０の取り付け作業時においても電熱線７１〜７３が破損することを回避できる。
【００６６】
床見切り材６０においてサッシ側挿入部６３を挟んで電熱線７１〜７３とは反対側において、上側仕切部８２と下側仕切部８３との間に電気配線８４が配設されているため、電気配線８４をそれら仕切部８２，８３やサッシ側挿入部６３により保護することができる。したがって、電熱線７１〜７３と同様に電気配線８４が破損することを回避できる。しかも、電気配線８４の下側に下側仕切部８３が設けられているため、挿入部６２，６３を床仕上材５８とサッシ枠３１との間に挿し入れる際に電気配線８４が傷つくことを下側仕切部８３により回避できる。さらに、電気配線８４を通じて電熱線７１〜７３への電力供給が行われるため、電気配線８４が破損して電熱線７１〜７３への電力供給が停止するということを回避できる。
【００６７】
サッシ枠３１に結露水が付着している場合、結露水が付着していない場合に比べて床見切り材６０の温度が高くなるように電熱線７１〜７３により温めることができるため、結露水を蒸発させて除去することができる。この場合、結露抑制に加えて結露除去を促進することになり、結露水により床下地材５７や床仕上材５８が傷むことを回避できる。
【００６８】
（他の実施形態）
本発明は上記実施形態の記載内容に限定されず、例えば次のように実施してもよい。
【００６９】
（１）床見切り材６０は少なくとも見切り板部６１を有していればよい。この場合、電熱線７１〜７３は見切り板部６１の下面に対して取り付けられていればよく、床仕上材５８やサッシ枠３１の下枠部３７の上において見切り板部６１との間に挟まれた状態で配設されていてもよい。また、電熱線７１〜７３は床見切り材６０に沿って延びるように設けられていなくてもよく、床見切り材６０を加熱可能に設けられていればよい。
【００７０】
（２）床見切り材６０には電熱線７１〜７３のうち少なくとも１つが設けられていればよい。つまり、電熱線７１〜７３がそれぞれ有する電熱部７５のうち少なくとも１つが設けられていればよい。
【００７１】
（３）床見切り材６０を加熱する加熱手段としては、電磁誘導により床見切り材６０を加熱するコイルや、床見切り材６０に沿って湯を流すことで床見切り材６０を加熱する配水管、熱風を床見切り材６０に吹き付ける送風ファンなどが挙げられる。例えばコイルを加熱手段とした場合、床見切り材６０に対するコイルの取り付け位置を設定することにより、床見切り材６０を部分的に加熱する第１加熱部及び第２加熱部を形成することが可能となる。
【００７２】
（４）電気配線８４は、床見切り材６０において電熱線７１〜７３と同様に挿入部６２，６３の間に配設されていてもよく、床側挿入部６２の床側に配設されていてもよい。また、電気配線８４は、建物１０の改装に伴って新設又は移設された建物設備に接続された電線や電気ケーブルであってもよい。
【００７３】
（５）床見切り材６０において、挿入部６２，６３や、仕切部８２，８３、連結部８６は板状に形成されていなくてもよい。例えば、それぞれ見切り板部６１の長手方向に複数並べられていてもよい。
【００７４】
（６）湿度を検出する湿度センサがサッシ枠３１や居室１１内に設けられていてもよい。この構成では、コントローラ９１が湿度センサの検出信号に基づいて湿度を算出し、その湿度が所定値より大きい場合に、結露が発生しやすいとして電熱線７１〜７３により床見切り材６０を加熱させる。具体的には、湿度が６０％に達した場合に、居室１１と屋外との温度差が１０℃（例えば、居室１１が２５℃、屋外が１５℃）であれば、床見切り材６０を加熱させて結露発生を抑制する。
【符号の説明】
【００７５】
１０…建物、１２…外壁部としての外壁、１３…開口部としての窓部、３１…サッシ枠、３５…縦枠部、３７…下枠部、５６…床部、６０…床見切り材、７１…加熱手段を構成する電熱線としての第１電熱線、７２…加熱手段を構成する電熱線としての第２電熱線、７３…加熱手段を構成する電熱線としての第３電熱線、９１…制御手段としてのコントローラ、９２…屋内温度検出手段としての居室温度センサ、９４…サッシ枠温度検出手段としてのサッシ枠温度センサ、９５…結露水検出手段としてのサッシ水センサ。
【図１】
2012144925.tif 000003
【図２】
2012144925.tif 000004
【図３】
2012144925.tif 000005
【図４】
2012144925.tif 000006
【図５】
2012144925.tif 000007